(57)【特許請求の範囲】
【請求項１】
舌の表面に押圧されて前記舌に接し貫通孔を有する苔取網部（２）と、
前記苔取網部（２）の周辺を固定する網固定部（４）と、を備え、
前記苔取網部（２）は、表側の網部（３）と裏側の網部（１３）とを有し、
前記表側の網部（３）は、表側に凸状の膨らみ部（１４）を構成し、
前記裏側の網部（１３）は、裏側に凹状の舌苔保持部（５）として凹部を構成することを特徴とする
舌苔取り具。
【請求項２】
前記膨らみ部（１４）は、３ｍｍから４ｍｍまでの前記凸状に形成されたことを特徴とする
請求項１記載の舌苔取り具。
【請求項３】
前記網部固定部（４）に先端が結合された屈曲自在の取手をさらに備えることを特徴とする
請求項１および請求項２のうちいずれか１項記載の舌苔取り具。
【発明の詳細な説明】
【技術の分野】
【０００１】
本発明は、舌の表面に付着して離れない舌苔を除去できる舌苔取り具に関する。
【背景技術】
【０００２】
従来の舌苔取り具は、柄の先端部分の舌と接触する部分が、ヘラタイプ、ブラシタイプ、ワイヤー状などに大別されているが、どれも舌についている舌苔に上からブラシでこすって舌の先端に掻き出すように構成されている。
【先行技術文献】
【特許文献】
【０００３】
【特許文献１】特開２００２−３６０４６３
【特許文献２】特開平９−５１８９８
【発明の概要】
【発明が解決しようとする課題】
【０００４】
特許文献１に記載の舌苔取り具は、ガーゼなどの袋状構造体からなり、その袋状構造体に１〜３本の指を差し込んで、舌苔や舌の汚れを、こそげ取るようにして拭き取れるように構成されている。しかし、このような舌苔取り具では、袋状構造体に指を差し込んで口に入れるだけで、袋状の物体が上あごや舌に触ることにより嘔吐反射が強くなる。
以前ヘルパーが指にガーゼを巻きつけて口の中に差し込んで舌苔や食べ物のカスなどを取っていたが、嘔吐反射がひどく危険のため、最近ではあまり採用されていない。
【０００５】
特許文献２に記載の舌苔除去器具は、頭部に網目状の突起と、網目状突起の間に凹部を設け、突起のある面を舌面に当て、裏面を上あごに舌を用いて押当てながら、柄部を指で摘んで前方に引出し、突起と凹部の作用で舌苔を削ぎ落とすようにして除去するものである。
一般に、舌苔や食べカスが一番溜まりやすい場所は、舌の奥にある有郭乳頭と葉状乳頭の近くと言われている。このような乳頭が多くある場所は、特許文献２に記載のような舌苔除去器具で舌苔を削ぎ落したり除去することは、舌に傷をつけたり嘔吐反射強くなるため採用することは困難である。
【課題を解決するための手段】
【０００６】
本発明は、舌の表面の奥にクリーム状や粘土状に付いて離れない舌苔を、舌の表面に傷をつけることなく、嘔吐反射も強くなく、除去することができ、舌苔の臭い・色などの状態を確認することができる舌苔取り具を提供する。
本発明の舌苔取り具は、舌の表面と接する網部を有する苔取網部と、苔取網部の周辺を固定する網固定部とを備えている。
【発明の効果】
【０００７】
本発明によれば、苔取網部が舌の表面と接する網部を有しているので、舌の表面に付着している舌苔は、網部を舌に押圧するだけで網部を通り抜けて網部裏面に溢れ出し網部裏面に保持される。
したがって、本発明によれば、舌の表面の舌苔を突起などでこそぎ取る必要が無いので舌の表面を傷つけることはない。また、網部は厚さが薄いものであるため、舌苔を取るのに網部を舌の表面に押し付けるだけで良いので嘔吐反射強く発生しない。
【図面の簡単な説明】
【０００８】
【図１】図１は、本発明の舌苔取り具の一実施形態の平面図である。
【図２】図２は、本発明の舌苔取り具の一実施形態の右側面図である。
【図３】図３は、本発明の舌苔取り具の一実施形態の使用状態を示す平面図である。
【図４】図４は、本発明の舌苔取り具の一実施形態の実物写真を示す図である。
【図５】図５は、本発明の舌苔取り具の一実施形態の苔取り網部の斜視図である。
【発明を実施するための形態】
【０００９】
図１、図２において、本発明の一実施形態の舌苔取り具１は、舌の表面と接する表側の網部３を有する苔取網部２と、苔取網部２の周辺を固定する網固定部４とを備えている。表側の網部３は、多数の網目から形成されており舌苔が通り抜ける貫通孔を有している。また、表側の網部３が舌の表面に押圧されることにより、舌苔が網部３の網目の貫通孔を抜け出て裏側の網部１３に保持される。
【００１０】
苔取網部２は、表側の網部３を頂部とした凸状に形成されており、裏側の網部１３に出てきた舌苔は裏側の凹状の形状により容易に保持される。
また、本発明の一実施形態の舌苔取り具１は、屈曲自在の取手１０を有し、取手１０の先端に網固定部２が結合されている。
【００１１】
さらに詳細に説明すると、本発明の一実施形態の舌苔取り具１は、取手１０の一端から苔取網部２の先端までの長さが約１５０ｍｍ程度である。取手１０の太さは５ｍｍ〜６ｍｍである。取手１０の材質は総てステンレスである。苔取網部２は、図１に示すように、先端が丸みのある三角形状に形成されており、取手１０の一端に結合されている。
図１において、本実施の形態の舌苔取り具１は、取手１０の手前（図面の下方）の端から、丸みのある三角形状の苔取網部２の先端（図面の上方）までの長さＣが１５０ｍｍ程度である。苔取網部２の長さＢは５０ｍｍ程度であり、苔取網部２の先端部分の一番幅の広い部分Ａが１８ｍｍ程度である。
【００１２】
苔取網部２は舌の表面と接する部分が表側の網部３であって、図３に示すように、裏側の網部１３で舌苔１５を保持する。苔取網部２の回りには苔取網部２を固定する網固定部４が設けられている。網固定部４は、苔取網部２の周囲がむき出しになっていると苔取網部２を形成する個々の網の先端で舌を傷つけるので、断面が曲率を有する形状に網の端部を成形したり、断面が曲率を有する平坦な保持具で網の端部を固定したりして形成されている。
【００１３】
また、網固定部４により、この一部を指で持って、あるいは、取手１０を手で持って、表側の網部３を舌の表面１２に押し当てることができる。
苔取網部２は、図２、図５に示すように、表側の網部３を頂部とするように凸状に形成されている。すなわち、表側の網部３は、金網からなる膨らみ部１４を有している。したがって、これに伴い、裏側の網部１３は凹状に形成されている。
【００１４】
苔取網部２の裏側の網部１３は、図２、図５に示すように、凹状であるため、裏側の網部１３によって、この部分で舌苔１５を保持する舌苔保持部５が形成される。すなわち、苔取網部２の表側の網部３を、舌の奥の舌苔が一番溜まっているまたは付着している舌苔の上に重ねて、かるく押えるだけで表側の網部３の反対面である裏側の網部１３で形成される舌苔保持部５に舌苔を保持した状態で口の外に出すことができる。
【００１５】
苔取網部２はステンレスから構成されている。苔取網部２の表側の網部３の金網の目が１ｍｍ〜１．５ｍｍに形成されているため、表側の網部３で押えられて網目を貫通した、舌苔やクリーム状の汚れものなどは、舌苔保持部５の中から外に洩れることはない。
【００１６】
表側の網部３は、網固定部４から表側に３ｍｍ〜４ｍｍの金網の膨らみ部１４が設けられている。すなわち、苔取網部２は、網部３を頂部とするように凸状に形成されて膨らみ部１４が形成されている。
【００１７】
舌苔取り具１の取手１０は、金属の芯９の回りに金属などをスプリング状に巻いて形成されており、上、下、左、右に屈曲自在に動かす事ができる。取手１０の、苔取網部２との結合部との反対側の端には、舌苔取り具１をフックなどに保管などするための掛け具６が設けられている。
【００１８】
取手１０がスプリング状であるため、口の中で舌苔取り具１を動かして歯茎や舌にあたっても抵抗をやわらげる事ができる。
【００１９】
図３は、本発明の舌苔取り具１の一実施形態の使用状態を示す平面図であって、図面の上側が舌の付け根側、すなわち喉側であり、図面の下側が舌の先端側、すなわち唇側である。舌の奥にある、糸状乳頭７よりも有郭乳頭８および葉状乳頭１１の側に多くできる舌苔は、自分が口から吐いている臭いと同じ臭いである事が実験の結果わかった。
【００２０】
取手１０を持ち、苔取網部２の表側の網部３を、舌の表面１２に押し当てることにより、舌苔１５や食べカスなどを、表側の網部３から裏側の網部１３に押し出し、裏側の網部１３の中の舌苔保持部５の中に保持できる。裏側の網部１３の中に押し出された舌苔１５や食べカスなどは、舌苔保持部５の中に保持された状態で、舌苔取り具１を口から出すことができる。これにより、苔の色、臭い、成分などがわかり、また口の中を浄化することができる。
【００２１】
従来は、痴呆老人が寝たきり老人の場合は、自分の力で口の汚れを外に出す力がないため、ヘルパーが指にガーゼを巻きつけて口の中に差し込んで、舌苔や食べ物のカスなど拭き取っていた。しかし、この場合、舌の先は拭き取る事ができるが、舌の奥の舌苔や汚れは嘔吐反射が強くでるため、拭き取る事ができない。そのため、うがい水を使って拭き取れなかった舌苔などを口の外に取り出していた。
【００２２】
しかし、本発明の舌苔取り具１は、表側の網部３を舌の表面に押し当てるだけで、口の中に残っている舌苔や食べカスなどをほとんど除去できるので、うがい水を使わなくても舌苔や食べカスなどを口の外に取り出す事ができる。
【００２３】
現在販売されている舌ブラシは、ほとんどがブラシ状かヘラ状であるため、舌の上の糸状乳頭７や有郭乳頭８をブラシの先やヘラの先端で舌をこするため、舌に傷をつけていた。
本実施形態の舌苔取り具１は、全体がステンレスのため滑りが良く、舌の表面に傷をつける事がない。また、舌苔取り具１が金属のため臭いや、雑菌がつきにくいため、殺菌をして使用すれば業務用でも使用できる。
【００２４】
図２、図３において、裏側の網部１３の中側には舌苔保持部５が形成されており、舌苔取り具１の表側の網部３を舌苔の上に置いて押し付け、口の外に出す事により、舌苔が表側の網部３に引っ掛かりながら舌苔保持部５の中に溜めながら、舌苔を口の外に出すことができる。
【００２５】
図２の自在に曲がる屈曲自在のスプリング状の取手１０の中には、針金状の芯９が設けられている。
【００２６】
図３は、舌の表面１２を舌苔取り具１で汚れを取り去っている状態を示す図である。舌苔取り具１の横幅Ａが１８ｍｍぐらいに細くしているため、嘔吐反射が少なく、舌の奥まで挿入してきれいにできる。
【００２７】
図３において、舌苔や食べカスは、舌の奥の方にある有郭乳頭８と葉状乳頭１１の近くにたまりやすくなっており、この部分に一番多く溜まる。このような乳頭が多くある場所は、舌に傷をつけたり嘔吐反射が強くなったりするため、ブラシタイプ、ヘラタイプでは簡単に舌苔を取る事ができない。
【００２８】
本実施の形態では、苔取網部２を舌苔などで汚れている部分の上から押さえるだけで、舌苔などの汚れはクリーム状またはペースト状、粘土状になっているため、表側の網部３が、クリーム状またはペースト状、粘土状の舌苔などを網目の周りから裏側の網部１３に押し出し、舌苔が、苔取網部２の網目である貫通孔を通り抜けて、裏側の網部１３で形成される舌苔保持部５に集めて取り出すことができる。
【００２９】
このように、本実施の形態では、苔取網部２で従来のように舌の表面をこそぎとったり、削ぎ落としたりする必要がなく、舌の表面、特に舌奥の表面を傷つけることはない。また苔取網部２は網目で形成されるため、強い嘔吐反射を招くことはない。
【００３０】
図４は試作品であって、ステンレスで自在に曲がるスプリング状の取手１０を、くの字状に曲げた状態を示している。取手１０が屈曲自在に曲がるため、口の中のすみずみまで汚れを取る事ができる。
【００３１】
苔取網部２は、図１の上方である先端から見た網目が、図３、図５に示すように菱形状１６に形成されている。そのため舌の表面に表側の網部３を上に乗せて押し付け、手前に舌苔取り具１を口の外へ引く事により、舌苔がきれいに、すくい取られる。また、すくい取られた舌苔や食べカスは、舌苔保持部５から外に出ないように菱形状１６の網目にそって網の中心に向いている。すなわち、菱形状１６の各網目の鋭角部は取手方向を向いているため、舌苔保持部５で保持された舌苔は網目の鋭角部で十分保持できる。
【００３２】
なお、上記実施形態では、舌苔取り具１をステンレスで形成したが、特に、少なくとも苔取網部２および網固定部４を、金や銀で形成することにより殺菌効果を高めることができる。また、コストを抑えるためには可撓性樹脂で形成することにより、安価な舌苔取り具１を構成することができる。
【００３３】
上記実施形態では、苔取網部２を、先端部が丸みを有する三角形状で形成したが、角部が丸みを有する四角形状、円形状、Ｔ字状など、口内を傷つけないどのような形状でも可能である。ただ、舌の幅より小さく、喉から舌先の方向の長さの方が幅方向より長い方が、舌奥まで苔取網部２を挿入することができ、嘔吐反射が少ない。
【００３４】
また、膨らみ部１４は、上記実施形態のように、表側の網部３から取手１０に向けて傾斜していなくても、表側の網部３全体が皿状形状など、膨らんでいれば任意の形状でも可能である。
取手１０もスプリング状でなくても、自由に撓む可撓性樹脂で形成することも可能である。
【００３５】
網部３、１５の網目は、菱形状でなくても、四角形状、三角形状でも可能である。網部３、１５は、上記実施形態から分かるように、網部の表側３と網部の裏側１５との間に貫通孔が形成されている必要がある。
【００３６】
ペースト状、粘土状の舌苔などを表側から裏側に押し、貫通孔を介して出すために、網部３、１５の網目の大きさは、上記実施形態のように１ｍｍ〜１．５ｍｍに形成するのが最適であった。すなわち、繊維の糸で形成される１ｍｍよりも小さな網目の大きさでは舌苔を貫通孔から押し出すには不適であり、また、１．５ｍｍより大きすぎると貫通孔から押し出される舌苔の量が少なくなり、舌苔の除去効果が低下する。
【００３７】
以上説明したように、本発明の舌苔取り具は、舌の表面と接する網部を有する苔取網部と、苔取網部の周辺を固定する網固定部とを備えている。
【００３８】
したがって、本発明によれば、苔取網部が舌の表面と接する網部を有しているので、舌の表面に付着している舌苔は、網部を舌に押圧するだけで網部を通り抜けて網部裏面に押し出され網部裏面に保持される。
【００３９】
本発明によれば、舌の表面の舌苔を突起などでこそぎ取る必要が無いので舌の表面を傷つけることはない。また、網部は厚さが薄いものであるため、舌苔を取るのに網部を舌の表面に押し付けるだけで良いので嘔吐反射はほとんど発生しない。
【産業上の利用可能性】
【００４０】
本発明は、舌を傷つけることなく、また嘔吐反射が発生することなく、舌奥に形成される舌苔を除去できるので、医療分野、介護分野などの舌苔取り具として有用である。
【符号の説明】
【００４１】
１    舌苔取り具
２    苔取網部
３    表側の網部（舌に接する部分）
４    網固定部
５    舌苔保持部
６    掛け具
７    糸状乳頭
８    有郭乳頭
９    芯
１０    取手
１１    葉状乳頭
１２    舌の表面
１３    裏側の網部
１４    膨らみ部
１５    舌苔
１６    菱形状
【要約】
【課題】従来の舌の清掃には、舌ブラシやヘラのついたブラシ状が多く使われているが、舌についている粘土状の苔は簡単には取る事ができないため、ブラシやヘラで何度もこするため、舌の表面に傷つけていた。
【解決手段】舌苔取具（１）の取手（１０）の先に設けられた苔取網部（２）を、舌苔や汚れている部分に押し付けることにより、舌の表面などに傷をつける事なく、舌苔保持部（５）に集めて取り出す事ができる。
【選択図】図１【図１】
0006794087.tif 000002
【図２】
0006794087.tif 000003
【図３】
0006794087.tif 000004
【図４】
0006794087.tif 000005
【図５】
0006794087.tif 000006